(57)【要約】【課題】本発明の課題は、シャッタのシール性を向上した信頼性が高い空気調和機の室内機を提供することにある。【解決手段】空気調和機の室内機１は、室内熱交換器３と、本体２と、遠心ファン４と、シャッタ５と、を備えている。本体２には、室内熱交換器３を通過する空気を吹き出す複数の吹き出し通路Ｐ２、Ｐ３が形成されている。遠心ファン４は、室内熱交換器３を通過して吹き出し通路Ｐ２、Ｐ３から吹き出す空気流れを生成する。シャッタ５は、複数の吹き出し通路Ｐ２、Ｐ３のうちの少なくとも１つの吹き出し通路Ｐ３に設けられている。シャッタ５は、空気流れの圧力で閉状態が維持される。【選択図】図３
2007183010.tif 000002
【特許請求の範囲】
【請求項１】
室内熱交換器（３）と、
前記室内熱交換器（３）を通過する空気を吹き出す複数の吹き出し通路（Ｐ２、Ｐ３）が形成された本体（２）と、
前記室内熱交換器（３）を通過して前記吹き出し通路（Ｐ２、Ｐ３）から吹き出す空気流れを生成する遠心ファン（４）と、
複数の前記吹き出し通路（Ｐ２、Ｐ３）のうちの少なくとも１つの吹き出し通路（Ｐ３）に設けられ、前記空気流れの圧力で閉状態が維持されるシャッタ（５）と、
を備えている、
空気調和機の室内機（１）。
【請求項２】
前記シャッタ（５）は、前記吹き出し通路（Ｐ３）において前記遠心ファン（４）に遠い側に回転することにより、開状態から閉状態へ移行する、
請求項１に記載の室内機（１）。
【請求項３】
前記シャッタ（５）は、開状態において、前記シャッタ（５）が閉じる方向へ前記シャッタ（５）に圧力がかからない第１位置に位置する、
請求項１に記載の室内機（１）。
【請求項４】
前記第１位置は、前記吹き出し通路（Ｐ３）の内壁に形成された凹部（３０）の内部である、
請求項３に記載の室内機（１）。
【請求項５】
前記遠心ファン（４）は、ターボファンである、
請求項１に記載の室内機（１）。
【請求項６】
前記シャッタ（５）を回転駆動するための回転駆動手段（６）をさらに備えており、
前記回転駆動手段（６）は、閉状態において回転駆動を停止する、
請求項１に記載の室内機（１）。
【請求項７】
前記シャッタの閉状態において、前記遠心ファンが停止した時に、前記回転駆動手段は、再び駆動を開始する、
請求項６に記載の室内機（１）。
【請求項８】
前記回転駆動手段（６）は、ステップモータである、
請求項６または７に記載の室内機（１）。
【請求項９】
前記吹き出し通路（Ｐ３）の内部に形成され、閉状態で前記シャッタ（５）に当接するストッパ（３７）をさらに備えており、
前記シャッタ（５）は、閉状態において、鉛直の姿勢あるいは前記ストッパ（３７）に倒れかかる姿勢になる第２位置に位置する、
請求項１に記載の室内機（１）。
【請求項１０】
上下吹き出しが可能であり、冷房時に下吹き出しだけ前記シャッタで閉じる床置き型である、
請求項１に記載の室内機（１）。
【発明の詳細な説明】
【技術分野】
【０００１】
本発明は、複数の吹き出し通路を有する空気調和機の室内機に関する。
【背景技術】
【０００２】
従来より、複数の吹き出し通路を有する空気調和機の室内機として、特許文献１記載の室内機がある。この室内機は、上下２カ所に空気吹出口を有する空気調和機本体と、上下２カ所に設置されたクロスフローファンと、下部吹出口を開閉するシャッタと備えている。
シャッタは、形状記憶合金のバネによって閉位置に保持されている。冷房時には、シャッタがバネの弾性力によって閉位置に保持されているので、冷却された空気は、上部吹出口からのみ吹き出す。一方、暖房時には、加熱された空気の熱によって温められたバネが延びることにより、シャッタが開く。これにより、暖房時には、加熱された空気が上下の吹出口から吹き出すことが可能である。
【特許文献１】特開昭６１−７９９８３号公報
【発明の開示】
【発明が解決しようとする課題】
【０００３】
しかし、特許文献１記載の室内機では、冷房時において、冷却された空気の吹出圧力に抵抗するように、バネの弾性力でシャッタを閉じているので、空気漏れしないようにシャッタを完全に閉じることが困難であり、信頼性が低いという問題がある。
また、バネの代わりにモータなどの電動駆動手段を用いた場合も考えられるが、この場合、シャッタの閉状態を維持するために、回転駆動力をシャッタへ常時与える必要があるという問題がある。
【０００４】
本発明の課題は、シャッタのシール性を向上した信頼性が高い空気調和機の室内機を提供することにある。
【課題を解決するための手段】
【０００５】
第１発明の空気調和機の室内機は、室内熱交換器と、本体と、遠心ファンと、シャッタとを備えている。本体には、室内熱交換器を通過する空気を吹き出す複数の吹き出し通路が形成されている。遠心ファンは、室内熱交換器を通過して吹き出し通路から吹き出す空気流れを生成する。シャッタは、複数の吹き出し通路のうちの少なくとも１つの吹き出し通路に設けられている。シャッタは、空気流れの圧力で閉状態が維持される。
ここでは、シャッタが閉じているときには、シャッタは、遠心ファンで発生した空気流れの圧力を利用して閉状態に維持される。したがって、遠心ファンによって発生する風圧によって、シャッタを閉状態に維持することができるので、シール性が向上するとともに、信頼性が向上する。
【０００６】
第２発明の空気調和機の室内機は、第１発明の空気調和機の室内機であって、シャッタは、吹き出し通路において遠心ファンに遠い側に回転することにより、開状態から閉状態へ移行する。
ここでは、シャッタが遠心ファンに遠い側に開くので、シャッタが開状態から閉状態に移行したときに遠心ファンによって発生する風圧で閉状態に維持する位置に確実に向かうことが可能である。しかも、簡単な構成でシャッタを閉状態に維持することが可能である。
【０００７】
第３発明の空気調和機の室内機は、第１発明の空気調和機の室内機であって、シャッタは、第１位置に位置する。第１位置は、開状態において、シャッタが閉じる方向へシャッタに圧力がかからない位置である。
ここでは、シャッタは、開状態において、シャッタが閉じる方向へシャッタに圧力がかからない位置にくるので、遠心ファンの風圧によって自然にシャッタが閉まる不具合を防止することが可能である。しかも、開状態における送風ロスを防止することが可能である。
【０００８】
第４発明の空気調和機の室内機は、第３発明の空気調和機の室内機であって、第１位置は、凹部の内部である。凹部は、吹き出し通路の内壁に形成されている。
ここでは、第１位置が吹き出し通路の内壁に形成された凹部の内部であるので、簡単な構成でシャッタを風路から待避させる位置を確保することが可能である。
【０００９】
第５発明の空気調和機の室内機は、第１発明の空気調和機の室内機であって、遠心ファンは、ターボファンである。
ここでは、遠心ファンがターボファンであるので、小さい占有面積で、大風量を得ることが可能である。
【００１０】
第６発明の空気調和機の室内機は、第１発明の空気調和機の室内機であって、回転駆動手段をさらに備えている。回転駆動手段は、シャッタを回転駆動するための手段である。回転駆動手段は、閉状態において回転駆動を停止する。
ここでは、閉状態においてシャッタが空気流れの圧力を利用して閉状態を維持しているので、閉状態における回転駆動手段の駆動力を低減することが可能である。
【００１１】
第７発明の空気調和機の室内機は、第６発明の空気調和機の室内機であって、シャッタの閉状態において、遠心ファンが停止した時に、回転駆動手段は、再び駆動を開始する。
ここでは、シャッタの閉状態において、遠心ファンが停止した時に、回転駆動手段が再起動することにより、シャッタの閉状態を確実に維持することが可能である。
【００１２】
第８発明の空気調和機の室内機は、第６発明または第７発明の空気調和機の室内機であって、回転駆動手段は、ステップモータである。
ここでは、回転駆動手段がステップモータであるので、正確な回転角度でシャッタを回転駆動することが可能である。しかも、シャッタが閉状態になったときに、シャッタにトルクをかけないように正確なタイミングで駆動を停止することが可能である。
【００１３】
第９発明の空気調和機の室内機は、第１発明の空気調和機の室内機であって、ストッパをさらに備えている。ストッパは、吹き出し通路の内部に形成されている。ストッパは、閉状態でシャッタに当接する。シャッタは、閉状態において、第２位置に位置する。第２位置は、シャッタが鉛直の姿勢あるいはストッパに倒れかかる姿勢になる位置である。
ここでは、シャッタが閉状態において鉛直の姿勢あるいはストッパに倒れかかる姿勢になる第２位置に位置するので、遠心ファンからの風の強弱、休止にかかわらず、シャッタは閉状態を維持することが可能である。
【００１４】
第１０発明の空気調和機の室内機は、第１発明の空気調和機の室内機であって、上下吹き出しが可能であり、冷房時に下方への吹き出しだけシャッタで閉じる床置き型である。
ここでは、室内機が床置き型であり、上下吹き出しが可能であり、冷房時に下方への吹き出しだけシャッタで閉じることが可能であるので、暖房時に上下吹き出し、冷房時に上吹き出しのみを可能にする。
【発明の効果】
【００１５】
第１発明によれば、遠心ファンによって発生する風圧によって、シャッタを閉状態に維持することができるので、シール性が向上し、それとともに信頼性が向上する。
第２発明によれば、シャッタが開状態から閉状態に移行したときに、遠心ファンによって発生する風圧で閉状態に維持する位置に確実に向かうことができる。しかも、簡単な構成でシャッタを閉状態に維持することができる。
【００１６】
第３発明によれば、遠心ファンの風圧によって自然にシャッタが閉まる不具合を防止することができる。しかも、開状態における送風ロスを防止することができる。
第４発明によれば、簡単な構成でシャッタを風路から待避させる位置を確保することができる。
第５発明によれば、小さい占有面積で、大風量を得ることができる。
【００１７】
第６発明によれば、閉状態における回転駆動手段の駆動力を低減することができる。
第７発明によれば、遠心ファンが停止してもシャッタの閉状態を確実に維持することができる。
第８発明によれば、正確な回転角度でシャッタを回転駆動することができる。しかも、シャッタが閉状態になったときに、シャッタにトルクをかけないように正確なタイミングで駆動を停止することができる。
【００１８】
第９発明によれば、遠心ファンからの風の強弱、休止にかかわらず、シャッタは閉状態を維持することができる。
第１０発明によれば、上下吹き出しが可能であり、冷房時に下方への吹き出しだけシャッタで閉じることが可能であるので、暖房時に上下吹き出し、冷房時に上吹き出しのみを可能にする。
【発明を実施するための最良の形態】
【００１９】
以下、図面を参照しながら、本発明の実施形態に係わる空気調和機の室内機について説明する。
図１〜図５に示される空気調和機の室内機１は、床置き型の室内機であり、本体２と、室内熱交換器３と、ファン４と、シャッタ５と、ステップモータ６と、フィルタ７と、前面グリル８と、前面パネル１０とを備えている。本体２の前面に配置される前面パネル１０は、フラット（平坦）な形状をしている。
【００２０】
本体２には、室内熱交換器３と、ファン４と、シャッタ５と、ステップモータ６と、フィルタ７と、前面グリル８とが収納されている。
室内機１は、居室の床に据え置いた状態で使用される。室内機１は、本体２を居室の壁の表面に接触させて設置するだけでなく、本体２の後方部分Ａ（図２参照）の全部または一部を居室の壁に埋め込んだ状態で設置することも可能である。室内機１は、本体２の後方部分Ａの両側面および上面の一部を覆うための着脱自在のカバー９をさらに備えている。したがって、本体２の後方部分Ａの壁に埋め込む長さに合わせて、カバー９を着脱することができる。
【００２１】
＜本体２の構成＞
本体２は、図３に示されるように、合成樹脂製の中空の筐体からなる。本体２の内部には、前面側に形成された前面側開口２ａから後方へ向かって、フィルタ７、室内熱交換器３、ファン４が順に配置されている。
本体２の前面側開口２ａの周縁には、前面グリル８が取り付けられている。前面グリル８には、フィルタ７がはめ込まれている。
【００２２】
本体２の前面側開口２ａの前方には、前面側開口２ａから浮かせた状態で前面パネル１０が配置されている。前面パネル１０は、本体２から前方に離間して配置されているので、前面パネル１０の上側と左右両側の三方には、３カ所の上部吸込口１１ａ、第１側部吸込口１１ｃ、および第２側部吸込口１１ｄ（図１参照）が形成されている。また、前面パネル１０の下部であって下部吹出口２５よりも若干上方の位置には、スリット状の下部吸込口１１ｂが形成されている。これにより、前面パネル１０の上下左右の四方向において、それぞれ吸込口１１ａ、１１ｂ、１１ｃ、１１ｄが配置されている。
【００２３】
前面パネル１０の上部および下部には、嵌合突起１０ａ、１０ｂがそれぞれ形成されている。嵌合突起１０ａ、１０ｂを前面グリル８の嵌合凹部８ａおよび本体２の前面下端付近の嵌合穴２ｂにそれぞれ嵌合させることにより、前面パネル１０は、本体２の前面側開口２ａから浮かせた状態で固定される。
本体１には、吸込通路Ｐ１と、上部吹き出し通路Ｐ２と、下部吹き出し通路Ｐ３とが形成されている。
【００２４】
吸込通路Ｐ１は、前面パネル１０の四方の上部吸込口１１ａ、下部吸込口１１ｂ、第１側部吸込口１１ｃ、または第２側部吸込口１１ｄのうちのいずれかの吸込口を通って、前面側開口２ａを通して本体２に入り、フィルタ７、室外熱交換器３、ファン４の順に通る通路である。
上部吹き出し通路Ｐ２は、ファン４から上部空間部２７を通って上部吹出口２４へ向かう通路である。上部吹出口２４は、本体２の前面側開口２ａの上方に形成されている。上部吹出口２４には、開閉可能な可動板２６が配置されている。
【００２５】
下部吹き出し通路Ｐ３は、ファン４から下部空間部２８を通って下部吹出口２５へ向かう通路である。下部吹出口２５は、本体２の前面側開口２ａの下方に形成されている。下部空間部２８には、開閉可能なシャッタ５が配置されている。さらに、下部空間部２８の内部には、閉状態でシャッタ５に当接するストッパ３７が形成されている。また、前面パネル１０における下部吹出口２５の前方側の部分には、水平方向に延びる複数のスリット１０ｃが形成されている。
また、図４に示されるように、下部空間部２８には、下部吹出口２５から吹き出す風の水平方向の向きを調整するための複数の垂直風向板３１と、垂直風向板３１をそれぞれ連結する連結バー３２と、連結バー３２に連結された手動操作用のレバー３３とがさらに配置されている。
【００２６】
＜ファン４の構成＞
ファン４は、遠心方向に風を吹き出す遠心ファンの一種であるターボファンであり、図３に示されるように、ファンロータ４１と、モータ４２と、ファンケーシング４３とを備えている。ファンロータ４１は、中心４１ｂから螺旋を描きながら離れるように配置された複数枚の羽根４１ａ（図３の斜線部分）を有している。
【００２７】
ファンケーシング４３は、ファンロータ４１およびモータ４２を収納したケーシングである。ファンケーシング４３の上部は、本体２の上部空間部２７と連通している。ファンケーシング４３の下部は、本体２の下部空間部２８と連通している。
ファン４で生成された遠心方向へ吹き出す空気流れは、ファンケーシング４３から上下に分岐して上部吹き出し通路Ｐ２および下部吹き出し通路Ｐ３をそれぞれ通り、そののち上部吹出口２４および下部吹出口２５からそれぞれ本体２の外部に排出される。
【００２８】
＜シャッタ５の構成＞
シャッタ５は、図３〜図５に示されるように、下部吹き出し通路Ｐ３の下部空間部２８に設けられている。シャッタ５は、下部空間部２８の断面形状に合わせた長方形の板状の部材である。シャッタ５は、ステップモータ６の出力軸６ａと一体に回転できるように出力軸６ａと嵌合する嵌合筒部５ａを有している。
【００２９】
シャッタ５の回転軸となるシャッタ５の嵌合筒部５ａおよびステップモータ６の出力軸６ａを組み合わせた部分は、下部吹き出し通路Ｐ３の下部空間部２８を形成する内壁２９の下面側に位置している。
シャッタ５が閉じているときには、シャッタ５は、ファン４で発生した空気流れの圧力を利用して閉状態に維持される。これにより、シール性が向上する。
【００３０】
シャッタ５は、閉状態において、鉛直の姿勢あるいはストッパ３７に倒れかかる姿勢になる第２位置Ａ２（図４参照）に位置する。したがって、ファン４からの風の強弱、休止にかかわらず、シャッタ５は閉状態を維持することが可能である。また、閉状態においてステップモータ６にかかる負荷を低減することも可能である。
シャッタ５は、図４および図５に示されるように、下部吹き出し通路Ｐ３においてファン４に遠い側、具体的には図４に示されるＲ２方向に回転することにより、開状態から閉状態へ移行することが可能である。したがって、シャッタ５は、開状態から閉状態へ移行するときには、ファン４によって発生する風圧を利用して閉状態に維持する位置に確実に向かうことが可能である。
【００３１】
シャッタ５は、図４および図５に示されるように、開状態において、シャッタ５が閉じる方向、具体的には図４に示されるＲ２方向へシャッタ５に圧力がかからない第１位置Ａ１（図４参照）に位置している。第１位置Ａ１は、下部吹き出し通路Ｐ３の下部空間部２８を形成する内壁２９に形成された凹部３０の内部である、
＜ステップモータ６の構成＞
ステップモータ６は、シャッタ５を回転駆動するためのモータである。ステップモータ６は、閉状態においてシャッタ５にトルクをかけないように回転駆動を停止する。
【００３２】
具体的には、本実施形態の室内機１は、ステップモータ６の回転駆動を制御するためのリミットスイッチ３６（図４参照）が設けられている。したがって、シャッタ５が閉状態になったときにリミットスイッチ３６が作動してステップモータ６の回転駆動を停止させることが可能である。このとき、閉状態においてシャッタ５が空気流れの圧力を利用して閉状態を維持しているので、シャッタ５の周辺からの空気漏れの心配がない。
【００３３】
また、シャッタ５の閉状態において、ファン４が停止した時に、ステップモータ６は、再び駆動を開始する。例えば、リミットスイッチ３６がシャッタ５の閉状態を検知している状態において、ファン４の駆動が停止したことを室内機１に内蔵されたマイコン等の制御回路（図示せず）が検知したときに、制御回路は、ステップモータ６を再び駆動させるように制御する。
【００３４】
＜動作説明＞
暖房時には、ステップモータ６の回転駆動力により、下部吹き出し通路Ｐ３のシャッタ５を第１位置Ａ１まで開ける。それとともに、吹き出し通路Ｐ２の可動板２６も図示しないステップモータによって開ける。上部ファン４によって発生した空気流れは、室内熱交換器３によって加熱される。加熱された空気は、ファン４を経由して、上部吹き出し通路Ｐ２および下部吹き出し通路Ｐ３をそれぞれ通って、上部吹出口２４および下部吹出口２５からそれぞれ吹き出すことが可能である。したがって、加熱された空気が室内機１から室内空間の上方および下方に吹き出すことによって、室内を迅速に温めることが可能である。
【００３５】
一方、冷房時には、ステップモータ６の回転駆動力により、シャッタ５を鉛直の姿勢あるいはストッパ３７に倒れかかる姿勢になる第２位置Ａ２まで閉める。一方、吹き出し通路Ｐ２の可動板２６は開いた状態にする。シャッタ５が第２位置Ａ２まで回転したとき、リミットスイッチ３６によってステップモータ６の回転駆動は、停止する。シャッタ５が閉じているときには、シャッタ５は、ファン４で発生した空気流れの圧力を利用して閉状態に維持される。ファン４によって発生した空気流れは、室内熱交換器３によって冷却される。冷却された空気は、ファン４を経由して、上部吹き出し通路Ｐ２を通って、上部吹出口２４から上方へ吹き出して、室内空間を冷却することが可能である。
【００３６】
＜特徴＞
（１）
実施形態の室内機１では、シャッタ５が閉じているときには、シャッタ５は、遠心ファンからなるファン４で発生した空気流れの圧力を利用して閉状態に維持される。したがって、ファン４によって発生する風圧によって、シャッタ５を閉状態に維持することができるので、シール性が向上するとともに、信頼性が向上する。
【００３７】
（２）
また、シャッタ５は、閉状態において、ファン４によって発生する風圧によって、本体２の下部空間部２８の内部に突設されたストッパ３７に押し当てられるので、高いシール性を維持することが可能であり、シール材を省略することが可能である。
（３）
実施形態の室内機１では、シャッタ５は、図４および図５に示されるように、下部吹き出し通路Ｐ３においてファン４に遠い側であるＲ２方向に回転することにより、開状態から閉状態へ移行することが可能である。したがって、シャッタ５は、開状態から閉状態へ移行するときには、ファン４によって発生する風圧を利用して閉状態に維持する位置に確実に向かうことが可能である。しかも、簡単な構成でシャッタ５を閉状態に維持することが可能である。
【００３８】
（４）
実施形態の室内機１では、シャッタ５は、開状態において、シャッタ５が閉じる方向であるＲ２方向へシャッタ５に圧力がかからない第１位置Ａ１に位置している。これにより、ファン４の風圧によって自然にシャッタ５が閉まる不具合を防止することが可能である。また、開状態におけるファン４の送風ロスを防止することも可能である。
【００３９】
（５）
実施形態の室内機１では、第１位置Ａ１は、下部吹き出し通路Ｐ３の下部空間部２８を形成する内壁２９に形成された凹部３０の内部である。これにより、簡単な構成でシャッタ５を風路である下部吹き出し通路Ｐ３から待避させる位置を確保することが可能である。
【００４０】
（６）
実施形態の室内機１では、ファン４として遠心ファンを採用している。遠心ファンは、従来の室内機における上下２個のクロスフローファンを採用した場合と比較して扱いやすく、製造および制御が容易である。また、従来の室内機に使用される上下２個のクロスフローファンがモータを２個必要とするのに対して、本実施形態のファン４ではモータの数が１個でよく、製造コストおよび重量の大幅な低減が可能である。
【００４１】
また、遠心ファンからなるファン４は、従来の室内機に使用されるクロスフローファンと比較して静圧が高くなるので、平坦な前面パネル１０が使用可能となる。
（７）
また、実施形態の室内機１では、遠心ファンの一種であるターボファンからなるファン４を採用しているので、小さい占有面積で、大風量を得ることが可能である。
【００４２】
（８）
実施形態の室内機１では、ステップモータ６は、閉状態においてシャッタ５にトルクをかけないように回転駆動を停止する。実施形態では、閉状態においてシャッタ５が空気流れの圧力を利用して閉状態を維持しているので、閉状態におけるステップモータ６の駆動力を低減することが可能である。
【００４３】
（９）
実施形態の室内機１では、シャッタ５の閉状態において、ファン４が停止した時に、ステップモータ６は、再び駆動を開始する。これにより、ファン４が停止してもシャッタ５の閉状態を確実に維持することが可能である。
（１０）
実施形態の室内機１では、回転駆動手段として、ステップモータ６を採用しているので、正確な回転角度でシャッタ５を回転駆動することが可能である。また、シャッタ５が閉状態になったときに、ステップモータ６は、シャッタ５にトルクをかけないように正確なタイミングで駆動を停止することも可能である。
【００４４】
（１１）
実施形態の室内機１は、下部吹き出し通路Ｐ３の内部に形成され、閉状態でシャッタ５に当接するストッパ３７をさらに備えている。シャッタ５は、閉状態において、鉛直の姿勢あるいはストッパ３７に倒れかかる姿勢になる第２位置Ａ２に位置する。したがって、ファン４からの風の強弱、休止にかかわらず、シャッタ５は閉状態を維持することが可能である。また、これによって、閉状態においてステップモータ６にかかる負荷を低減することも可能である。
【００４５】
（１２）
実施形態の室内機１は、床置き型であり、上下吹き出しが可能であり、冷房時に下方への吹き出しだけシャッタで閉じることが可能であるので、暖房時に上下吹き出し、冷房時に上吹き出しのみを可能にする。
（１３）
また、実施形態の室内機１では、シャッタ５の回転軸（具体的には、シャッタ５の嵌合筒部５ａおよびステップモータ６の出力軸６ａを組み合わせた部分）が下部吹き出し通路Ｐ３の下部空間部２８を形成する内壁２９の下面側に位置している。これにより、シャッタ５は、開状態において、内壁２９の下面に寝ている状態になり、安定する。
【００４６】
＜変形例＞
（Ａ）
実施形態の室内機１では、シャッタ５が閉状態になったときにリミットスイッチ３６によってステップモータ６の回転駆動を停止しているが、本発明はこれに限定されるものではなく、リミットスイッチ３６を省略してもよい。この場合、シャッタ５を所定の回転角度または所定時間だけ回転駆動したのちステップモータ６を停止させるだけでファン４で発生される空気流れの圧力によってシャッタ５は閉状態を維持することが可能である。
【００４７】
（Ｂ）
実施形態の室内機１の動作説明では、冷房開始からシャッタ５を閉じているが、本発明はこれに限定されるものではなく、冷房開始から所定時間、例えば１時間ぐらいの間は、シャッタ５を開けて上下吹き出しによって室内を冷房し、１時間経過後にシャッタ５を閉めて上方からの吹き出しだけで冷房を行うに制御してもよい。この場合、１時間ぐらい上下吹き出しすることにより、室内全体を急速に冷やすことができる。
【００４８】
（Ｃ）
実施形態では、床置き型室内機を例に挙げて説明したが、本発明はこれに限定されるものではなく、複数の吹き出し通路と、吹き出し通路の少なくとも１つを閉じるためのシャッタとを有する室内機であれば、本発明を適用することが可能である。例えば、天井に設置される室内機にも、本発明を適用することが可能である。
【産業上の利用可能性】
【００４９】
本発明は、複数の吹き出し通路と、吹き出し通路の少なくとも１つを閉じるためのシャッタとを有する室内機に適用することが可能である。
【図面の簡単な説明】
【００５０】
【図１】本発明の実施形態に係わる空気調和機の室内機の正面図。
【図２】図１の室内機の側面図。
【図３】図１の室内機の縦断面図。
【図４】図３のシャッタ付近の拡大図。
【図５】図４のシャッタおよび凹部の拡大斜視図。
【符号の説明】
【００５１】
１  室内機
２  本体
３  室内熱交換器
４  ファン
５  シャッタ
６  ステップモータ
７  フィルタ
８  前面グリル
１０  前面パネル
２４  上部吹出口
２５  下部吹出口
２７  上部空間部
２８  下部空間部
２９  内壁
３０  凹部
【図１】
2007183010.tif 000003
【図２】
2007183010.tif 000004
【図３】
2007183010.tif 000005
【図４】
2007183010.tif 000006
【図５】
2007183010.tif 000007
【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
室内熱交換器（３）と、
前記室内熱交換器（３）を通過する空気を吹き出す複数の吹き出し通路（Ｐ２、Ｐ３）が形成された本体（２）と、
前記室内熱交換器（３）を通過して前記吹き出し通路（Ｐ２、Ｐ３）から吹き出す空気流れを生成する遠心ファン（４）と、
複数の前記吹き出し通路（Ｐ２、Ｐ３）のうちの少なくとも１つの吹き出し通路（Ｐ３）に設けられ、前記吹き出し通路（Ｐ３）を開閉するシャッタ（５）と、
前記シャッタ（５）を開状態から閉状態へ移行させるために前記シャッタ（５）を回転駆動する回転駆動手段（６）と、
を備えており、
前記シャッタ（５）が閉状態にあるとき、前記空気流れの圧力で閉状態が維持される、
空気調和機の室内機（１）。
【請求項２】
前記シャッタ（５）の閉状態を検出する検出手段（３６）をさらに備えており、
前記シャッタ（５）が閉状態になったときに前記検出手段（３６）が作動して前記回転駆動手段（６）の回転駆動を停止させる、
請求項１に記載の室内機（１）。
【請求項３】
前記シャッタ（５）は、開状態において、前記シャッタ（５）に空気流れの圧力が前記シャッタ（５）の閉じる方向へかからない第１位置に位置する、
請求項１に記載の室内機（１）。
【請求項４】
前記第１位置は、前記吹き出し通路（Ｐ３）の内壁に形成された凹部（３０）の内部である、
請求項３に記載の室内機（１）。
【請求項５】
前記シャッタ（５）は、前記吹き出し通路（Ｐ３）において前記空気流れの下流側に回転して立ち上がることによって開状態から閉状態へ移行する、
請求項１に記載の室内機（１）。
【請求項６】
前記吹き出し通路（Ｐ３）の内部において、前記シャッタ（５）に対して前記空気流れの下流側に形成され、閉状態で前記シャッタ（５）に当接するストッパ（３７）をさらに備えており、
前記シャッタ（５）は、前記空気流れの下流側に回転して立ち上がることによって、閉状態において鉛直の姿勢あるいは前記ストッパ（３７）に倒れかかる姿勢になる第２位置に位置する、
請求項５に記載の室内機（１）。
【請求項７】
前記遠心ファン（４）は、ターボファンである、
請求項１に記載の室内機（１）。
【請求項８】
前記シャッタの閉状態において、前記遠心ファンが停止した時に、前記回転駆動手段は、再び駆動を開始する、
請求項１または２に記載の室内機（１）。
【請求項９】
前記回転駆動手段（６）は、ステップモータである、
請求項１、２または８に記載の室内機（１）。
【請求項１０】
上下吹き出しが可能であり、冷房時に下吹き出しだけ前記シャッタで閉じる床置き型である、
請求項１に記載の室内機（１）。
【手続補正２】
【補正対象書類名】明細書
【補正対象項目名】０００５
【補正方法】変更
【補正の内容】
【０００５】
第１発明の空気調和機の室内機は、室内熱交換器と、本体と、遠心ファンと、シャッタと、回転駆動手段とを備えている。本体には、室内熱交換器を通過する空気を吹き出す複数の吹き出し通路が形成されている。遠心ファンは、室内熱交換器を通過して吹き出し通路から吹き出す空気流れを生成する。シャッタは、複数の吹き出し通路のうちの少なくとも１つの吹き出し通路に設けられている。シャッタは、吹き出し通路を開閉する。回転駆動手段は、シャッタを開状態から閉状態へ移行させるために、シャッタを回転駆動する。シャッタが閉状態にあるとき、空気流れの圧力で閉状態が維持される。
ここでは、複数の吹き出し通路のうちの少なくとも１つの吹き出し通路を開閉するシャッタは、回転駆動手段によって開閉される。シャッタが閉じているときには、シャッタは、遠心ファンで発生した空気流れの圧力を利用して閉状態に維持される。したがって、遠心ファンによって発生する風圧によって、シャッタを閉状態に維持することができるので、シール性が向上するとともに、信頼性が向上する。
また、閉状態においてシャッタが空気流れの圧力を利用して閉状態を維持しているので、閉状態における回転駆動手段の回転駆動を停止することが可能である。
【手続補正３】
【補正対象書類名】明細書
【補正対象項目名】０００６
【補正方法】変更
【補正の内容】
【０００６】
第２発明の空気調和機の室内機は、第１発明の空気調和機の室内機であって、シャッタの閉状態を検出する検出手段をさらに備えている。シャッタが閉状態になったときに、検出手段が作動して回転駆動手段の回転駆動を停止させる。
ここでは、検出手段をさらに備えているので、シャッタが閉状態になったときに、検出手段が作動して回転駆動手段の回転駆動を確実に停止させることが可能である。
【手続補正４】
【補正対象書類名】明細書
【補正対象項目名】０００７
【補正方法】変更
【補正の内容】
【０００７】
第３発明の空気調和機の室内機は、第１発明の空気調和機の室内機であって、シャッタは、第１位置に位置する。第１位置は、開状態において、空気流れの圧力がシャッタの閉じる方向へかからない位置である。
ここでは、シャッタは、開状態において、空気流れの圧力がシャッタの閉じる方向へかからない位置にくるので、遠心ファンの風圧によって自然にシャッタが閉まる不具合を防止することが可能である。しかも、開状態における送風ロスを防止することが可能である。
【手続補正５】
【補正対象書類名】明細書
【補正対象項目名】０００８
【補正方法】変更
【補正の内容】
【０００８】
第４発明の空気調和機の室内機は、第３発明の空気調和機の室内機であって、第１位置は、凹部の内部である。凹部は、吹き出し通路の内壁に形成されている。
ここでは、第１位置が吹き出し通路の内壁に形成された凹部の内部であるので、簡単な構成でシャッタを風路から待避させる位置を確保することが可能である。
第５発明の空気調和機の室内機は、第１発明の空気調和機の室内機であって、シャッタは、吹き出し通路において空気流れの下流側に回転して立ち上がることによって、開状態から閉状態へ移行する。
ここでは、シャッタが空気流れの下流側に回転して立ち上がることによって開くので、シャッタが開状態から閉状態に移行したときに遠心ファンによって発生する風圧で閉状態に維持する位置に確実に向かうことが可能である。しかも、簡単な構成でシャッタを閉状態に維持することが可能である。
第６発明の空気調和機の室内機は、第５発明の空気調和機の室内機であって、ストッパをさらに備えている。ストッパは、吹き出し通路の内部において、シャッタに対して空気流れの下流側に形成されている。ストッパは、閉状態でシャッタに当接する。シャッタは、空気流れの下流側に回転して立ち上がることによって、閉状態において鉛直の姿勢あるいはストッパに倒れかかる姿勢になる第２位置に位置する。
ここでは、シャッタが空気流れの下流側に回転して立ち上がることによって、シャッタが閉状態において鉛直の姿勢あるいはシャッタに対して空気流れの下流側に形成されたストッパに倒れかかる姿勢になる第２位置に位置するので、遠心ファンからの風の強弱、休止にかかわらず、シャッタは閉状態を維持することが可能である。
【手続補正６】
【補正対象書類名】明細書
【補正対象項目名】０００９
【補正方法】変更
【補正の内容】
【０００９】
第７発明の空気調和機の室内機は、第１発明の空気調和機の室内機であって、遠心ファンは、ターボファンである。
ここでは、遠心ファンがターボファンであるので、小さい占有面積で、大風量を得ることが可能である。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
第８発明の空気調和機の室内機は、第７発明の空気調和機の室内機であって、シャッタの閉状態において、遠心ファンが停止した時に、回転駆動手段は、再び駆動を開始する。
ここでは、シャッタの閉状態において、遠心ファンが停止した時に、回転駆動手段が再起動することにより、シャッタの閉状態を確実に維持することが可能である。
【手続補正９】
【補正対象書類名】明細書
【補正対象項目名】００１２
【補正方法】変更
【補正の内容】
【００１２】
第９発明の空気調和機の室内機は、第１発明、第２発明または第８発明の空気調和機の室内機であって、回転駆動手段は、ステップモータである。
ここでは、回転駆動手段がステップモータであるので、正確な回転角度でシャッタを回転駆動することが可能である。しかも、シャッタが閉状態になったときに、シャッタにトルクをかけないように正確なタイミングで駆動を停止することが可能である。
【手続補正１０】
【補正対象書類名】明細書
【補正対象項目名】００１３
【補正方法】削除
【補正の内容】
【手続補正１１】
【補正対象書類名】明細書
【補正対象項目名】００１５
【補正方法】変更
【補正の内容】
【００１５】
第１発明によれば、遠心ファンによって発生する風圧によって、複数の吹き出し通路のうちの少なくとも１つの吹き出し通路を開閉するシャッタを閉状態に維持することができるので、シール性が向上し、それとともに信頼性が向上する。また、閉状態においてシャッタが空気流れの圧力を利用して閉状態を維持しているので、閉状態における回転駆動手段の回転駆動を停止することが可能である。
第２発明によれば、シャッタが閉状態になったときに、検出手段が作動して回転駆動手段の回転駆動を確実に停止させることができる。
【手続補正１２】
【補正対象書類名】明細書
【補正対象項目名】００１６
【補正方法】変更
【補正の内容】
【００１６】
第３発明によれば、遠心ファンの風圧によって自然にシャッタが閉まる不具合を防止することができる。しかも、開状態における送風ロスを防止することができる。
第４発明によれば、簡単な構成でシャッタを風路から待避させる位置を確保することができる。
第５発明によれば、シャッタが開状態から閉状態に移行したときに、遠心ファンによって発生する風圧で閉状態に維持する位置に確実に向かうことができる。しかも、簡単な構成でシャッタを閉状態に維持することができる。
第６発明によれば、遠心ファンからの風の強弱、休止にかかわらず、シャッタは閉状態を維持することができる。
第７発明によれば、小さい占有面積で、大風量を得ることができる。
【手続補正１３】
【補正対象書類名】明細書
【補正対象項目名】００１７
【補正方法】変更
【補正の内容】
【００１７】
第８発明によれば、遠心ファンが停止してもシャッタの閉状態を確実に維持することができる。
第９発明によれば、正確な回転角度でシャッタを回転駆動することができる。しかも、シャッタが閉状態になったときに、シャッタにトルクをかけないように正確なタイミングで駆動を停止することができる。
【手続補正１４】
【補正対象書類名】明細書
【補正対象項目名】００１８
【補正方法】変更
【補正の内容】
【００１８】
第１０発明によれば、上下吹き出しが可能であり、冷房時に下方への吹き出しだけシャッタで閉じることが可能であるので、暖房時に上下吹き出し、冷房時に上吹き出しのみを可能にする。